(57)【要約】【課題】金属製、特にアルミニウム製またはアルミニウム合金製の缶体の印刷に用いられ、版胴に対する位置決めをより容易に行うことができる印刷用版を提供する。【解決手段】印刷用版１は、円筒状の版胴２の先端側から嵌め込んで装着され、版本体１１に版部１２が設けられた印刷用版１であって、前記版胴２の後端部に設けられた位置決め用突部２１と係合する位置決め用切欠部１４と、前記版胴２に装着する際の手元側に設けられ、前記位置決め用切欠部１４の位置を示すための位置指示部１５と、を備える。【選択図】図１
2016104532.tif 000002
【特許請求の範囲】
【請求項１】
円筒状の版胴の先端側から嵌め込んで装着され、版本体に版部が設けられた印刷用版であって、
前記版胴の後端部に設けられた位置決め用突部と係合する位置決め用切欠部と、
前記版胴に装着する際の手元側に設けられ、前記位置決め用切欠部の位置を示すための位置指示部と、
を備えることを特徴とする印刷用版。
【請求項２】
前記位置指示部は、前記位置決め用切欠部の配置位置に対して前記印刷用版の軸方向一直線上に設けられることを特徴とする請求項１に記載の印刷用版。
【請求項３】
前記位置指示部は、前記版本体の外周面に設けられ、目視により識別可能に形成されることを特徴とする請求項１または２に記載の印刷用版。
【請求項４】
前記版本体の内径は、前記版胴の外径よりも０．１６５％〜０．２２０％径大であることを特徴とする請求項１〜３のいずれかに記載の印刷用版。
【請求項５】
前記版部は、前記版本体の外周面に１つのみ設けられることを特徴とする請求項１〜４のいずれかに記載の印刷用版。
【発明の詳細な説明】
【技術分野】
【０００１】
本発明は、金属製、特にアルミニウム製またはアルミニウム合金製の缶体の印刷に用いられる印刷用版に関する。
【背景技術】
【０００２】
従来、印刷装置のシリンダに装着されて使用され、画像パターンを有する印刷用版を用いて、金属製の缶体に印刷することが知られている。
【０００３】
特許文献１，２には、印刷用版の周端部に形成された位置決め用の切欠部（貫通孔或いは凹部）を版胴上に取り付けられたピン或いは突起部に嵌め合わせることにより位置決めが行われることが開示されている。
【先行技術文献】
【特許文献】
【０００４】
【特許文献１】特開２０１０−１３７５０５号公報
【特許文献２】特許４６７２３９６号公報
【発明の概要】
【発明が解決しようとする課題】
【０００５】
しかしながら、特許文献１，２に記載されているようなピン或いは突起部が版胴の後端部に設けられている場合には、作業者から遠く離れた位置で印刷用版の位置決め用切欠部を版胴のピン或いは突起部に嵌め合わせて位置決めしなければならず、位置決めに時間がかかる上、正確に位置決め用の切欠部と版胴のピン或いは突起部を嵌め合わせることは困難であった。
【０００６】
また、位置決め用切欠部が作業中に目視出来ない箇所に設けられている場合、位置決め用の切欠部と版胴のピン或いは突起部を嵌め合わせて位置決めすることは、より困難であった。
【課題を解決するための手段】
【０００７】
本発明は、上述した技術背景に鑑み、金属製、特にアルミニウム製またはアルミニウム合金製の缶体の印刷に用いられ、版胴に対する位置決めをより容易に行うことができる印刷用版の提供を目的とする。
【０００８】
即ち、本発明は下記［１］〜［５］に記載の構成を有する。
【０００９】
［１］  円筒状の版胴の先端側から嵌め込んで装着され、版本体に版部が設けられた印刷用版であって、
前記版胴の後端部に設けられた位置決め用突部と係合する位置決め用切欠部と、
前記版胴に装着する際の手元側に設けられ、前記位置決め用切欠部の位置を示すための位置指示部と、
を備えることを特徴とする印刷用版。
【００１０】
［２］  前記位置指示部は、前記位置決め用切欠部の配置位置に対して前記印刷用版の軸方向一直線上に設けられることを特徴とする前項１に記載の印刷用版。
【００１１】
［３］  前記位置指示部は、前記版本体の外周面に設けられ、目視により識別可能に形成されることを特徴とする前項１または２に記載の印刷用版。
【００１２】
［４］  前記版本体の内径は、前記版胴の外径よりも０．１６５％〜０．２２０％径大であることを特徴とする前項１〜３のいずれかに記載の印刷用版。
【００１３】
［５］  前記版部は、前記版本体の外周面に１つのみ設けられることを特徴とする前項１〜４のいずれかに記載の印刷用版。
【発明の効果】
【００１４】
上記［１］に記載の発明によれば、円筒状の版胴の先端側から嵌め込んで装着され、版本体に版部が設けられた印刷用版であって、版胴の後端部に設けられた位置決め用突部と係合する位置決め用切欠部と、版胴に装着する際の手元側に設けられ、位置決め用切欠部の位置を示すための位置指示部と、を備えるので、版胴に装着する際の手元側に設けられた位置指示部により、版胴に印刷用版を装着する作業者が位置指示部をより認識し易くなり、印刷用版の装着時に奥側に位置する位置決め用切欠部に代わって、手元側に設けられた位置指示部に基づき、版胴と位置合わせしながら印刷用版を挿入させることができるようになり、印刷用版をより容易に版胴に装着させることができる。
【００１５】
上記［２］に記載の発明によれば、位置指示部は、位置決め用切欠部の配置位置に対して印刷用版の軸方向一直線上に設けられるので、位置指示部によって位置決め用切欠部の位置をより把握し易くなる。
【００１６】
上記［３］に記載の発明によれば、位置指示部は、版本体の外周面に設けられ、目視により識別可能に形成されるので、位置指示部を視認して印刷用版を版胴に挿入させることで、印刷用版をより容易に版胴と位置合わせして装着させることができる。
【００１７】
上記［４］に記載の発明によれば、版本体の内径は、版胴の外径よりも０．１６５％〜０．２２０％径大であるので、印刷用版の装着時に挿入させ易く、且つ印刷時において装着した印刷用版が版胴の回転によってずれるなどすることがなくなり、印刷用版の内径が版胴に対して最適な寸法設定となっている。
【００１８】
上記［５］に記載の発明によれば、版部は、版本体の外周面に１つのみ設けられるので、大径の印刷用版だけでなく、小径の印刷用版であっても印刷用版と版胴の位置決めがし易い。
【図面の簡単な説明】
【００１９】
【図１】本発明の印刷用版について説明するための説明図である。
【図２】本発明の印刷用版の版胴への装着を説明する説明図である。
【発明を実施するための形態】
【００２０】
以下、図面を参照して、本発明の実施形態について説明する。
【００２１】
図１は、印刷用版１について説明するための説明図、図２は、印刷用版１の版胴２への装着を説明する説明図である。
【００２２】
まず、図１〜２を参照して、金属製の缶体の印刷をするための円筒状の印刷用版１が装着される版胴２を備えた版装着装置について説明する。
【００２３】
以降では、図２に示す版胴２の上下を上下とし、左側を前面或いは先端、右側を後面或いは後端とし、前面から見て左右を左右とする。
【００２４】
版装着装置は、印刷対象物に対して印刷を行う印刷機、印刷機に用いられる印刷用版１に対して印刷模様を彫刻する彫刻機に共通して備えられるものである。
【００２５】
版胴２に装着される印刷用版１としては、円筒状に形成された印刷用版１、特に、小径の印刷用版１が用いられる。
【００２６】
印刷される被印刷物は飲料用金属缶であり、特にアルミニウム又はアルミニウム合金製の平板を、ドロー＆アイアニング（ＤＩ）成形した有底円筒状の飲料用金属缶が好適に印刷される。
【００２７】
版装着装置は、印刷機の機枠から前方に突出するように設けられた図示しない版駆動軸と、版駆動軸の先端部側から嵌め込まれて、版駆動軸の外周面に固定される版胴２と、を備えている。
【００２８】
版駆動軸は、その基端部側が印刷機の機枠に回転支持され、公知の駆動手段により所定方向に所定速度で回転させられる。
【００２９】
版胴２は、円筒状に形成され、版駆動軸が挿通させられる挿通孔がその中心に設けられている。
【００３０】
版胴２の外周には、版駆動軸と同心の円筒状の版装着面２２が形成されており、版装着面２２には、円筒状に形成された印刷用版１、特に、小径の印刷用版１が着脱可能に取り付けられる。
【００３１】
版胴２は、重量軽減のために内部が取り除かれて空洞になっており、外周に版装着面２２が形成された円筒部と、版胴２の前面を覆う蓋部２４と、を備えている。
【００３２】
蓋部２４は、例えば、その下側に、前面側に突出して設けられたボルト部材２５を有する。
【００３３】
ボルト部材２５は、版胴２の周方向位置を微調整するために、版胴２を回転させる操作部となる。
【００３４】
版胴２は、挿通孔に版駆動軸を嵌め合わせた状態で版駆動軸に固定され、版駆動軸と一体となって回転する。
【００３５】
版装着面２２は、装着された印刷用版１の内面との摩擦抵抗による固定力を確保するため、その表面粗さはＲａ１μｍ以下程度で静摩擦を保つことが望ましい。
【００３６】
また、その表面粗さを小さく保ち、かつ表面に傷が付きにくい点を考慮すると、版装着面２２は、ハードクロム塗装（メッキ）することが好ましい。
【００３７】
版胴２には、円筒部の一部が取り除かれて、平坦な面が形成されてなる版固定部材装着面が設けられており、円筒部の外周の版固定部材装着面を除く部分が印刷用版１の装着される版装着面２２となっている。
【００３８】
版固定部材装着面は、版装着面２２を含む円筒面よりも径方向内側に位置しており、版胴２の外周面において径方向内外へ移動可能に設けられ、印刷用版１を固定するための版固定部材を設けている。
【００３９】
版装着面２２の外径と、印刷用版１の内径は、略同等の寸法となるように設定されている。
【００４０】
版固定部材は、例えば、版胴２の軸方向に長い方形状に形成され、版胴２の径方向外側に移動させることによって版固定部材の径方向外側の端面が印刷用版１の内周面に当接するように構成されている。
【００４１】
版胴２が版固定部材装着面を有しているため、版装着面２２と版固定部材装着面を合計した周長は、版胴２の版装着面２２が形成する円筒面の周長より短くなる。
【００４２】
印刷用版１の内周面の周長は、版胴２の版装着面２２と版固定部材装着面を合計した周長よりも僅かに大きく、版胴２の版装着面２２が形成する円筒面の周長より僅かに小さい寸法に設定されている。
【００４３】
これにより、版胴２に対する印刷用版１の挿入を容易なものとするとともに、版固定部材に押された部位が印刷用版１の他の部位より径方向外側に突出する事態を回避することができるようになっている。
【００４４】
版固定部材装着面には、版胴２の軸方向長さの大部分にわたり、軸方向に長い方形状に形成された溝部が形成されている。
【００４５】
当該溝部は、横断面形状が方形状で、両側壁及び底壁は平坦面に形成されており、溝部には、版固定部材が版胴２の径方向に移動可能に嵌め込まれている。
【００４６】
版固定部材は、印刷用版１の版部１２を含む外表面が形成する円筒面の内側の範囲内で、版胴２に装着された印刷用版１の一部を径方向内側から径方向外側に押して拡径するようになっている。
【００４７】
版固定部材には、版胴２の軸方向に延びる回転軸が設けられ、版固定部材の内部において回転可能に構成された回転軸が回転操作されることによる回転に伴って、版胴２の内部で版胴２の径方向に位置移動可能に構成されている。
【００４８】
版胴２の円筒部の後端面の外周部には、印刷用版１の軸方向の装着位置を決めるためのエンドストッパー２３が固定されている。
【００４９】
エンドストッパー２３は、版装着面２２より径方向外側に少し張り出した円環状に形成され、印刷用版１を版胴２の先端側から嵌め込むと、印刷用版１の後端部側が円環状面に当接するように構成されている。
【００５０】
エンドストッパー２３が設けられることにより、印刷用版１の後端部を版胴２の所定位置に正確に且つ簡単に取付けられるようになる。
【００５１】
版胴２の下側且つエンドストッパー２３の手前側には、印刷用版１の周方向の位置決めをするための位置決め用突部２１が設けられている。
【００５２】
位置決め用突部２１は、蓋部２４に突出して設けられたボルト部材２５と版胴２の軸方向一直線上に配置されるように設けられている。
【００５３】
位置決め用突部２１は、例えば、版胴２の径方向外側へ僅かに突出し、平面視で略半円形状の突部として形成されている。
【００５４】
印刷用版１には、弾性材料で円筒状に形成された版本体１１と、版本体１１の外周部の一部に形成された版部１２とが備えられている。
【００５５】
版本体１１は、円筒状に丸められ、重ね合わせられた両端部が接合されることにより印刷用版１に成形される。
【００５６】
円筒状に形成された印刷用版１は、例えば、製版時や印刷時に印刷用版１の装着された版胴２が前面から見て時計回りに回転した際に、重ね合わせられた両端部（接合部１３）のうち、重ね合わせにより僅かに段差の生じた外周面側の端部が、回転方向後側に位置するように成形されている。
【００５７】
このように印刷用版１が成形されることで、製版時や印刷時に印刷用版１の僅かな段差によって版胴２の回転に影響を及ぼすことがない。
【００５８】
尚、接合部１３を接合する方法としては、溶接による接合が最も好ましいが、容易に剥がれない接着方法が採用されるのであれば特に限定されるものではない。
【００５９】
版部１２は、接合部１３を除く版本体１１の外周面の所定箇所に設けられ、印刷用版１が版胴２に装着されたときに版装着面２２に密着する版本体１１の外面部分に形成されている。
【００６０】
この例では、版本体１１の外周面に１つの版部１２のみが設けられている。
【００６１】
版部１２は、版本体１１の外周面に１つのみ設けられるので、大径の印刷用版だけでなく、小径の印刷用版１であっても印刷用版１と版胴２の位置決めがし易い。
【００６２】
弾性材料製シートは、磁性あるいは非磁性の適当な金属等の長方形状の弾性材料製シートからなり、例えば、市販のブリキ板（Ｆｅ）が採用され、シートの厚さは、円筒状に形成できて、かつ弾性力により円筒状を保持できる程度であればよく、この例では、約０．２６ｍｍである。
【００６３】
版本体１１には、版部１２となる樹脂層がその片面に形成されており、この樹脂層は、例えばポリビニルアルコール系、ビニルエステル系またはポリアミド系等の樹脂を採用することができ、ショアＤ硬度で例えば硬化後Ｄ２０〜８０程度のものが好適である。
【００６４】
例えば、通常のオフセット印刷用のＵＶ硬化樹脂（紫外線硬化樹脂）を採用すると、それ以外の硬化樹脂のような溶剤や高圧スチームによる煩雑な洗浄作業を必要とせず、一般に水洗浄で容易に洗浄作業を行うことができる。
【００６５】
樹脂層の厚さは、印刷の版部１２として必要な厚みがあればよく、この例では、弾性材料製シートの片面に厚さ０．４〜０．６ｍｍの層を接着させている。
【００６６】
円筒状に形成された印刷用版１は、版胴２の先端側から嵌め込まれることによって、版胴２の外周面である版装着面２２に装着される。
【００６７】
版本体１１の内径は、版胴２の外径よりも僅かに径大になるように、例えば、版胴２の外径よりも０．１６５％〜０．２２０％径大になるよう設定されている。
【００６８】
このように設定されることにより、印刷用版１の装着時に挿入させ易く、且つ印刷時において装着した印刷用版１が版胴２の回転によってずれるなどすることがなく、印刷用版１の内径の寸法設定が版胴２に対して最適である。
【００６９】
印刷用版１は、一方の長手方向端部１１２、具体的には、版胴２の版装着面２２に装着された際の後端側の下側端部に位置決め用切欠部１４が形成されている。
【００７０】
位置決め用切欠部１４は、版胴２の位置決め用突部２１と係合するようになっており、印刷用版１の軸方向に延びる切欠きが形成され、その奥端部に周方向位置決め用突部２１の外周形状と一致する曲率を有する円弧が形成されている。
【００７１】
位置決め用切欠部１４は、例えば、印刷用版１が版胴２の後端側まで装着されると、位置決め用切欠部１４の端部が位置決め用突部２１の外周面に当接することによって、印刷用版１の周方向及び版胴２の軸方向の位置決めができるようになっている。
【００７２】
印刷用版１の位置決め用切欠部１４が設けられた端部（装着時、印刷用版１の後端部）と対向する側の端部（装着時、印刷用版１の先端側）には、位置指示部１５が設けられている。
【００７３】
位置指示部１５は、印刷用版１の位置決め用切欠部１４が版胴２の位置決め用突部２１に正確に係合するように位置決め用切欠部１４の位置を示すものである。
【００７４】
位置指示部１５は、版胴２の版装着面２２に装着された際の印刷用版１後端側の下側端部に形成された位置決め用切欠部１４の版軸方向一直線上の長手方向端部１１１、即ち、印刷用版１を装着する作業者の手元側となる印刷用版１の先端側の下側端部に設けられている。
【００７５】
位置指示部１５は、位置決め用切欠部１４の配置位置に対して印刷用版１の軸方向一直線上に設けられるので、位置指示部１５によって位置決め用切欠部１４の位置をより把握し易くなる。
【００７６】
また、位置指示部１５が、版胴２に装着する際の印刷用版１の先端側端部、即ち、作業者の手元側端部に設けられているので、版胴２に印刷用版１を装着する作業者が位置指示部１５を認識し易く、印刷用版１の装着時に奥側に位置する位置決め用切欠部１４に代わり、手元側で位置決め用切欠部１４の位置を示す位置指示部１５に基づいて、印刷用版１をより容易に版胴２に装着させることができる。
【００７７】
位置指示部１５は、例えば、版部１２を形成する樹脂と同一材料の樹脂層からなり、印刷用版１の外周面で版部１２から離間した位置に二等辺三角形状に形成されている。
【００７８】
位置指示部１５は、二等辺三角形の頂角が位置決め用切欠部１４に向くように配置され、頂角側の頂点が位置決め用切欠部１４と版軸方向一直線上に設けられている。
【００７９】
版胴２に対して印刷用版１を位置合わせする際には、この例では、位置指示部１５である二等辺三角形の頂角側の頂点を、版胴２の蓋部２４に設けられたボルト部材２５に目視によって位置合わせする。
【００８０】
位置指示部１５の頂角が指し示す延長線上に位置決め用切欠部１４が設けられているので、位置指示部１５の頂角と版胴２のボルト部材２５を位置合わせして印刷用版１を版胴２に挿入させると、印刷用版１の位置決め用切欠部１４が版胴２のボルト部材２５と一直線状に設けられた位置決め用突部２１に向けて印刷用版１を挿入させることができる。
【００８１】
位置指示部１５は樹脂層からなるので、版部１２を形成する際に、併せて位置指示部１５を形成することができて、別途位置指示部１５を形成するための工程を設ける必要がないため、加工工程を必要最低限に設定することができる。
【００８２】
また、位置指示部１５は、弾性材料製シートよりも僅かに厚みのある樹脂層からなるので、外周面の位置指示部１５に指などで触れるなどすることによって位置を把握して印刷用版１を版胴２に挿入させることもできる。
【００８３】
位置指示部１５は、版本体１１の外周面に設けられ、目視により識別可能に形成されるので、位置指示部１５を視認して印刷用版１を版胴２に挿入させることで、印刷用版１をより容易に版胴２と位置合わせして装着させることができる。
【００８４】
印刷用版１には版部１２が設けられているため、位置指示部１５は、版部１２にかからない程度の大きさに設定され、且つ目視するにあたり視認するに十分な大きさに設定される必要がある。
【００８５】
ここでは一例として、位置指示部１５は、底辺が２．５ｍｍ、高さが４ｍｍに設定された二等辺三角形状に設定されている。
【００８６】
上述した印刷用版１は、以下のようにして成形され版胴２に装着される。
【００８７】
弾性材料製シートの片面に版部１２となる樹脂層を設け、それと同時に弾性材料製シートの長手方向一端部１１１の略中央に二等辺三角形状に形成された樹脂層からなる位置指示部１５を設ける。
【００８８】
位置指示部１５は、二等辺三角形の頂角側の頂点が、弾性材料製シートの長手方向他端部１１２と直交するような向きで配置される。
【００８９】
続いて、弾性材料製シートの長手方向他端部１１２の一部を切欠いてなる位置決め用切欠部１４を形成する。
【００９０】
位置決め用切欠部１４は、一端部１１１側に設けられた位置指示部１５の頂角の位置の延長線上に位置するよう配置されている。
【００９１】
位置決め用切欠部１４及び位置指示部１５が直線上に配置された弾性材料製シートを、丸めて重ね合わせた短手方向両端部を溶接などによって接合し、円筒状の印刷用版１として成形する。
【００９２】
こうして得られた円筒状の印刷用版１は、位置決め用切欠部１４が設けられた側から版胴２に挿入して装着される。
【００９３】
この時、位置決め用切欠部１４を下側に向けて版胴２に挿入し、位置決め用切欠部１４の位置を示し、位置決め用切欠部１４と一直線上に位置する手元下側の位置指示部１５の位置を把握しておく。
【００９４】
印刷用版１を版胴２に挿入しながら、予め把握しておいた位置指示部１５の位置に基づいて、位置決め用切欠部１４が版胴２の位置決め用突部２１に係合するように見当合わせする。
【００９５】
ここでは、例えば、位置指示部１５と版胴２のボルト部材２５とを位置合わせすることによって見当合わせする。
【００９６】
位置指示部１５に基づいて見当合わせされることにより、印刷用版１と版胴２とが位置決めされる。
【００９７】
この状態で印刷用版１を版胴２の後端部まで押し込むだけで、印刷用版１の位置決め用切欠部１４が版胴２の位置決め用突部２１に係合する。
【００９８】
上述した位置指示部１５は、二等辺三角形状に形成された樹脂層として説明したが、二等辺三角形以外の形状の樹脂層からなるものであってもよいし、樹脂層からなるものでなく印刷用版１に何らかの模様が描かれたものであってもよく、少なくとも、位置指示部１５が位置決め用切欠部１４の位置を認識可能に構成されていればよい。
【００９９】
上述では、位置指示部１５が印刷用版１の外周面から目視可能に形成されるように説明したが、印刷用版１の内周面から目視可能に形成されているのであってもよい。
【０１００】
例えば、印刷用版１の端部であり、印刷用版１の装着時に下側となる位置に設けられた位置指示部１５が、印刷用版１の先端側端部に型押し或いは切欠きなどによって形成されていれば、印刷用版１の外周面からのみでなく内周面からも目視可能となり、印刷用版１を版胴２に挿入する際により位置合わせし易くなるため好ましい。
【０１０１】
また、位置指示部１５は、上述したような目視及び手触により認識可能なものでなく、目視或いは手触の何れか一方のみで認識可能に構成されるのであってもよい。
【０１０２】
上述した位置指示部１５は、位置決め用切欠部１４と印刷用版１の軸方向一直線上に設けられるように説明したが、版胴２と印刷用版１とを正しく位置決め可能に構成されるのであれば、位置決め用切欠部１４の位置に依らず何れの部位に設けられるのであってもよい。
【０１０３】
例えば、版胴２に上述したボルト部材２５のような位置決め用突部２１の位置を示す部位が設けられていれば、位置指示部１５を版胴２の当該部位と位置合わせすることにより、印刷用版１と版胴２との位置決めをすることができ、印刷用版１を版胴２に差し込むだけで位置決め用切欠部１４を位置決め用突部２１と容易に係合させることができる。
【０１０４】
この場合、位置指示部１５が、印刷用版１の後端側に設けられた位置決め用切欠部１４に対し少なくとも印刷用版１の手元側に形成されることにより、上述した実施例と同等の効果を奏することができる。
【０１０５】
また、位置指示部１５と位置合わせされる版胴２のボルト部材２５は、ボルト部材以外のものからなるのであってもよい。
【０１０６】
例えば、版胴２の蓋部２４に位置決め用突部２１の位置を示す標示を設け、位置指示部１５をこの標示と位置合わせして、印刷用版１を版胴２に挿入するようにする。
【０１０７】
尚、ボルト部材２５や版胴２の位置決め用突部２１の位置を示す標示が設けられる箇所は、位置指示部１５と適正な位置で位置合わせ可能に構成されるのであれば、版胴２の蓋部２１に限定されるものではない。
【０１０８】
上述したように、印刷用版１は、円筒状の版胴２の先端側から嵌め込んで装着され、版本体１１に版部１２が設けられたものであって、版胴２の後端部に設けられた位置決め用突部２１と係合する位置決め用切欠部１４と、版胴２に装着する際の手元側に設けられ、位置決め用切欠部１４の位置を示すための位置指示部１５と、を備えるので、版胴２に装着する際の手元側に設けられた位置指示部１５により、版胴２に印刷用版１を装着する作業者が位置指示部１５をより認識し易くなり、印刷用版１の装着時に奥側（後端部側）に位置する位置決め用切欠部１４に代わって、手元側に設けられた位置指示部１５に基づき、版胴２と位置合わせしながら印刷用版１を挿入させることができるようになり、印刷用版１をより容易に版胴２に装着させることができる。
【０１０９】
以上説明した実施形態は、本発明の一例に過ぎず、本発明の作用効果を奏する範囲において具体的構成などを適宜変更設計できることは言うまでもない。
【産業上の利用可能性】
【０１１０】
本発明は、金属製缶体を印刷するための印刷用版として用いられる。
【符号の説明】
【０１１１】
１…印刷用版
２…版胴
１１…版本体
１２…版部
１３…接合部
１４…位置決め用切欠部
１５…位置指示部
【図１】
2016104532.tif 000003
【図２】
2016104532.tif 000004